(57)【要約】      （修正有）【課題】簡単に帽子やヘルメットのつば部に嵌め込んで装着し、また必要に応じて取り外すことができる照明装置を提供する。【解決手段】所定間隔で配置される第１板部材３と第２板部材５とが開口部を有して連結された本体２と、本体に取り付けられる複数の発光ダイオード８と、発光ダイオードを駆動する回路１２と、駆動回路及び発光ダイオードに電気を供給する電池を収容する電池ボックス１４と、電気を供給する状態としない状態とを切替えるスイッチとを備える。第１板部材３及び第２板部材５は各対向面に摩擦部材４を備え、駆動回路１２と電池ボックス１４とスイッチは本体２に取り付けられる。【選択図】図２
0003165254.tif 000002
【実用新案登録請求の範囲】
【請求項１】
所定間隔で配置される第１板部材（３）と第２板部材（５）とが開口部を有して連結された本体（２）と、該本体に取り付けられる複数の発光ダイオード（８）と、該発光ダイオードを駆動する回路（１２）と、該駆動回路及び前記発光ダイオードに電気を供給する電池を収容する電池ボックス（１４）と、前記電気を供給する状態としない状態とを切替えるスイッチ（１６）とを備え、
前記第１板部材（３）及び前記第２板部材（５）は各対向面に摩擦部材（４）を備え、前記駆動回路（１２）と前記電池ボックス（１４）と前記スイッチ（１６）は前記本体（２）に取り付けられることを特徴とする照明装置。
【請求項２】
前記発光ダイオード（８）は、前記第１板部材（３）に前記第２板部材（５）と対向する反対面から照射するように取り付けられることを特徴とする請求項１記載の照明装置。
【請求項３】
前記駆動回路（１２）は防水部材（１８）で覆われることを特徴とする請求項１又は２記載の照明装置。
【請求項４】
前記防水部材（１８）がシリコンゴムであることを特徴とする請求項３記載の照明装置。
【請求項５】
前記発光ダイオード（８）は薄型の発光ダイオードであることを特徴とする請求項１乃至４のいずれか１項記載の照明装置。
【請求項６】
前記本体（２）は可撓性を有する樹脂であることを特徴とする請求項１乃至５のいずれか１項記載の照明装置。
【請求項７】
請求項１乃至６のいずれか１項記載の照明装置が装着されることを特徴とする照明装置付きヘルメット。
【考案の詳細な説明】
【技術分野】
【０００１】  本考案は、帽子やヘルメットのつば部に嵌め込んで装着する照明装置及び該照明装置が装着された照明装置付きヘルメットに関する。
【背景技術】
【０００２】  従来から、照明装置付きヘルメットが提供されている（例えば、特許文献１及び２）。
このようなヘルメットによれば、暗所で作業を行うときに照明器具を手で持つことなく、自由に両手を使用して作業を行うことができるので便利である。
【先行技術文献】
【特許文献】
【０００３】
【特許文献１】特開２００５−２６４３８８号公報
【特許文献２】特開２００６−９７１５６号公報
【考案の概要】
【考案が解決しようとする課題】
【０００４】  しかしながら、上記のような照明装置はいずれも電池がヘルメットの後部に配置されていて、つば部に取り付けられた投光器（ＬＥＤ照明）との間が配線で接続されている構造であり、照明装置がヘルメットから着脱可能な構造ではない。このため、昼間など照明が必要でないときに照明装置を外した状態でヘルメットを使用することができない。【０００５】  本考案は、このような従来の問題点に鑑みてなされたもので、簡単に帽子やヘルメットのつば部に嵌め込んで装着し、また必要に応じて取り外すことができる照明装置を提供することを目的とする。
【課題を解決するための手段】
【０００６】  上記課題を達成するために、本考案の一実施態様に係る照明装置（１０）は、所定間隔で配置される第１板部材（３）と第２板部材（５）とが開口部（６）を有して連結された本体（２）と、該本体に取り付けられる複数の発光ダイオード（８）と、該発光ダイオードを駆動する回路（１２）と、該駆動回路及び発光ダイオードに電気を供給する電池を収容する電池ボックス（１４）と、電気を供給する状態としない状態とを切替えるスイッチ（１６）とを備え、第１板部材（３）及び第２板部材（５）は各対向面に摩擦部材（４）を備え、駆動回路（１２）と電池ボックス（１４）とスイッチ（１６）は本体（２）に取り付けられることを特徴とする。【０００７】  好ましい態様では、発光ダイオード（８）は、第１板部材（３）に第２板部材（５）と対向する面の反対面から照射するように取り付けられる。これによって、帽子やヘルメットに第１板部材が下側になるように装着すると、夜間使用時に手元を照らすことができる。【０００８】  上記態様では、少なくとも駆動回路（１２）は防水部材（１８）で覆われるのが好ましい。これによって、水の浸入によって駆動回路の電気的短絡を防止できる。防水部材としてはシリコンゴムを使用できる。シリコンゴムは、防水性の他、耐熱・耐水・耐薬品性などに優れている。【０００９】  上記態様では、発光ダイオードは薄型の発光ダイオードであるのが好ましい。これによって、使用者が転倒時においても発光ダイオードによって傷等損傷する危険を減少することができる。また、駆動回路（１２）は抵抗型駆動回路とすることができる。これによって、発光ダイオードの発光に適切な電流を流すことができる。【００１０】  本考案は、さらに、上記本考案に係る照明装置が装着される照明装置付きヘルメットを提供する。本考案に係る照明装置付きヘルメットによれば、暗所で作業を行うときに照明器具を手で持つことなく、自由に両手を使用して作業を行うことができる。
【考案の効果】
【００１１】  本考案に係る照明装置では、所定間隔で配置される第１板部材と第２板部材は各対向面に摩擦部材を有しており、複数の発光ダイオードと該発光ダイオードを駆動する回路と電池ボックスとスイッチとが本体に取り付けられるので、帽子又はヘルメットのつば部を対向面で挟持して装着できる。また、必要のない時には取り外すことができる。つまり、本考案の照明装置は、帽子やヘルメットのつば部に嵌め込んで簡単に装着し、また必要に応じて取り外すことができる。【００１２】  また、本考案に係る照明装置付きヘルメットでは、複数の発光ダイオードと該発光ダイオードを駆動する回路と電池ボックスとスイッチとが本体に取り付けられた照明装置がヘルメットのつば部に嵌め込んで簡単に装着されるので、暗所で作業を行うときに自由に両手を使用して作業を行うことができる。
【図面の簡単な説明】
【００１３】
【図１】本考案の実施例１に係る照明装置の斜視図である。
【図２】図１のＡ−Ａ線に沿った断面矢視図である。
【図３】図１のＩＩ方向の矢視図である。
【図４】本考案の実施例１に係る照明装置の駆動回路の構成を示す図である。
【図５】本考案の実施例２に係る照明装置付きヘルメットを示す説明図である。
【図６】本考案の実施例３に係る照明装置の斜視図である。
【考案を実施するための形態】
【００１４】  以下、添付図面を参照しながら本考案の一実施形態について詳細に説明するが、本考案は、これに限定されて解釈されるものではなく、本考案の範囲を逸脱しない限りにおいて、当業者の知識に基づいて、種々の変更、修正、改良を加え得るものである。
【実施例１】
【００１５】  図１は、本考案の実施例１の照明装置１０の斜視図であり、図２は、図１のＡ−Ａ線に沿った断面矢視図である。
図１に示すように照明装置１０は、第１板部材３と第２板部材５とが所定間隔で配置された本体２を有し、第１板部材３と第２板部材５とはその端において連結されているが、連結されていない部分は開口部６を形成している。本実施例において所定間隔は約５ｍｍである。【００１６】  図２に示すように本体２は、第１板部材３と第２板部材５とがその一端で円弧状に接続され、断面Ｕ字形状を形成する。該Ｕ字形状の対向する２つの面にはシート状の摩擦部材４が貼り付けられている。本実施例では、本体２は適度な可撓性を有するプラスチックなどからなる樹脂製であり、摩擦部材４はゴム製シートである。なお、本実施例では本体２の第１板部材３と第２板部材５を略平面状に形成しているが、ヘルメットつば部の形状に合わせ予めある程度湾曲させて形成してもよい。
また、本体２の第１板部材３には電池を収容する電池ボックス１４及び発光ダイオード８を駆動する駆動回路１２が取り付けられ、駆動回路１２は防水部材１８シリコンゴムで密閉される。このため、雨天時に使用しても水が駆動回路１２に入ることによって電気的に短絡することが防止できる。本実施例において、防水部材１８はシリコンゴムである。同様に、電池ボックス１４も中に水が入らないように蓋１４ａを閉じた状態では十分密閉される構造とする。【００１７】  図３は、図１のＩＩ方向の矢視図であり、照明装置１０の底面図である。本実施例では５個の発光ダイオード８が、第２板部材５と対向する反対面から照射するように第１板部材３に円弧状にほぼ等間隔に取り付けられる。円弧状に取り付けられたに発光ダイオード８の一方の端隣にはスイッチ１６が取り付けられる。このスイッチ１６は、発光ダイオード８を駆動する回路（図３において図示せず）と発光ダイオード８に電気を供給する状態としない状態とを切替える。つまり、このスイッチ１６を操作して、発光ダイオード８の照明を入れたり切ったりする。【００１８】  図４は、本実施例１に係る照明装置の駆動回路１２の構成を示す。図４に示すように、発光ダイオード８ａと発光ダイオード８ｅと抵抗Ｒ１が直列に接続され、発光ダイオード８ｂと発光ダイオード８ｄと抵抗Ｒ２が直列に接続され、発光ダイオード８ｃと抵抗Ｒ３が直列に接続され、前記３つの発光ダイオード８と抵抗Ｒの直列接続は全体として電池１４ａ及びスイッチ１６と並列に接続される。
本実施例において、電池１４ｂは６ボルト、抵抗Ｒ１，Ｒ２はそれぞれ１００オーム、抵抗Ｒ３は３００オームである。
【実施例２】
【００１９】  図５は、実施例１の照明装置１０が装着された照明装置付きヘルメット３０を示す。
本考案に係る照明装置付きヘルメット３０は、ヘルメット３０のつば部３２に照明装置１０が嵌め込まれて装着される。この際、本体２の適度な可撓性により、つば部３２の湾曲に合わせ開口部６が変形しつつ第１板部材３と第２板部材５の間につば部３２が嵌合し照明装置１０とヘルメット３０が一体化され保持される。照明装置１０は、図２に示すように本体２の第１板部材３と第２板部材５が各対向面に摩擦部材４を有するので、つば部３２の表面と摩擦部材４との間の摩擦によってつば部３２から滑って外れることが防止できる。
【実施例３】
【００２０】  図６は、本考案の実施例３に係る照明装置２０の斜視図である。図６に示すように、照明装置２０の両サイドにも開口部２６が広がっている形状であり、本体２２の両サイドにはそれぞれ締付部材２７，２７が設置される。第１板部材２３と第２板部材２５の対向する２つの面にはシート状の摩擦部材２４が貼り付けられている。本実施例では、本体２２はプラスチック製であり、摩擦部材２４はゴム製シートである。【００２１】  本実施例３の照明装置２０では、本体２２の両サイドに締付部材２７，２７が設置されているので、帽子やヘルメットのつば部に嵌め込んだとき、締付部材２７，２７で第１板部材２３と第２板部材２５でつば部を挟んで、その上下から締め付けることによって、より強く帽子やヘルメットに装着することができる。また、締付部材２７，２７を解放した状態ではより広いつば部を有する帽子やヘルメットにも装着できる。
【産業上の利用可能性】
【００２２】  本考案に係る照明装置は、例えば、早朝や夜間などに配達する新聞配達人が着用するヘルメットに装着するための照明装置として有用である。
【符号の説明】
【００２３】２，２２    本体
３，２３    第１板部材
５，２５    第２板部材
４，２４    摩擦部材
６，２６    開口部
８          発光ダイオード
１０，２０  照明装置
１２        駆動回路
１４        電池ボックス
１６        スイッチ
１８        防水部材
２７        締付部材
３０        照明装置付きヘルメット
３２        つば部
【図１】
0003165254.tif 000003
【図２】
0003165254.tif 000004
【図３】
0003165254.tif 000005
【図４】
0003165254.tif 000006
【図５】
0003165254.tif 000007
【図６】
0003165254.tif 000008